(57)【特許請求の範囲】
【請求項１】
電子メールの作成が可能に構成された電子機器であって、
電子メール作成において、入力された文字又は文字列の変換候補として複数の文字列を表示する変換候補の選択画面に、テンプレートを伴う変換候補を表示させる変換候補表示手段と、
前記テンプレートを伴う変換候補が選択された場合に、該変換候補の文字列に割り当てられたテンプレートを表示し、該テンプレートが基づく記述の属性を使用した電子メール作成する電子メール作成制御手段と、を有することを特徴とする電子機器。
【請求項２】
前記テンプレートは、テキスト、音声、静止画、動画などを含むコンテンツデータのレイアウトや装飾を記述されたテンプレートであることを特徴とする請求項１に記載の電子機器。
【請求項３】
前記テンプレートは、ＨＴＭＬを用いて記述されたテンプレートであることを特徴とする請求項１または２に記載の電子機器。
【請求項４】
前記テンプレートを伴う変換候補には、テンプレートを伴うことを示す表示がなされていることを特徴とする請求項１〜３のいずれかに記載の電子機器。
【請求項５】
前記テンプレートを伴うことを示す表示は、所定のマークを所定位置に表示することを特徴とする請求項１〜３のいずれかに記載の電子機器。
【請求項６】
前記所定位置は、前記変換候補の文字列に隣接した位置であることを特徴とする請求項５に記載の電子機器。
【請求項７】
前記テンプレートを伴うことを示す表示は、テンプレートのサムネイル画像を前記変換候補の文字列に隣接した位置に表示する、又は、前記変換候補の文字列にカーソルを合わせたときにテンプレートのサムネイル画像をポップアップ表示させることを特徴とする請求項４に記載の電子機器。
【請求項８】
前記テンプレートを伴う変換候補に対して、テキストを入力するかテンプレートを入力するかを選択するキーを設けたことを特徴とする請求項１〜７のいずれかに記載の電子機器。
【請求項９】
前記テンプレートを伴う変換候補を選択した場合に、テンプレート使用有無を選択する画面を表示することを特徴とする請求項１〜７のいずれかに記載の電子機器。
【請求項１０】
前記テンプレートを伴う変換候補の文字列に対応するテンプレートを登録したテンプレート保存テーブルを有し、
変換候補文字列およびテンプレートの新規登録または編集が可能に構成されていることを特徴とする請求項１〜９のいずれかに記載の電子機器。
【請求項１１】
前記変換候補表示手段は、入力した文字又は文字列に続くと思われる単語や文字列を変換候補として示す予測変換候補の文字列を表示することを特徴とする請求項１〜１０のいずれかに記載の電子機器。
【請求項１２】
電子機器における電子メール作成において、入力された文字又は文字列の変換候補として複数の文字列を表示する選択画面に、テンプレートを伴い、該テンプレートが基づく記述の属性を使用した電子メールを作成する変換候補を表示することを特徴とする電子メール作成時の変換候補表示方法。
【請求項１３】
電子メール作成が可能に構成された電子機器に対して、電子メール作成において、入力された文字又は文字列の変換候補として複数の文字列を表示する選択画面に、テンプレートを伴い、該テンプレートが基づく記述の属性を使用した電子メールを作成する変換候補を表示する機能を実現させることを特徴とする電子メール作成時の変換候補表示プログラム。
【発明の詳細な説明】
【技術分野】
【０００１】
本発明は、電子メールの作成が可能に構成された電子機器、電子メール作成時の変換候補表示方法および変換候補表示プログラムに関する。
【背景技術】
【０００２】
電子メールの本文をウェブページのレイアウトなどに使うＨＴＭＬ（ハイパー・テキスト・メークアップ・ランゲージ）で記述することで、通常の電子メールでは不可能な、色付け、フォントサイズの変更、画像の埋め込みなどの表現が可能なＨＴＭＬメールが知られている。
【０００３】
このＨＴＭＬメールでは、例えば電子メールの作成画面およびこの作成画面におけるテキスト、音声、静止画、動画などを含むコンテンツデータのレイアウトや装飾を記述したテンプレート（文書の雛型など）に従って、そのコンテンツデータを配列した電子メールの作成画面を表示装置に表示可能にしている（例えば、特許文献１参照）。
【０００４】
テンプレートをＨＴＭＬにより記述するほかにも、複数の電子機器が同じ通信方式を用いて通信を行う場合において、所定の通信規約に基づくメッセージまたはこのメッセージの組み合わせにより、テンプレートを定義し、電子装置を使用する者同士が、このようにして定義された“テンプレート”を用いて電子メールをやり取りする方法もある。
以下より、ＨＴＭＬメールの作成手順を示すが、上記通信規約に基づくメッセージによる電子メール作成手順においても以下と同様となる。
【０００５】
図５は、ＨＴＭＬメールの作成手順を、電子機器である携帯端末（携帯電話機やＰＨＳ端末等）で実施する場合を示す説明図である。
まず、電子メール（Ｅ電子メール）の作成を行う場合は、キー操作等により電子メールメニューの画面Ｍ１を表示部に表示し、この画面Ｍ１上に表示された新規の電子メール作成を行う「Ｅ電子メール作成」および新規のＨＴＭＬメール作成を行う「ＨＴＭＬメール作成」のうち、「ＨＴＭＬメール作成」を選択する。ここで、「Ｅ電子メール作成」は、電子メール本文をテキストのみで作成するモードを指し、「ＨＴＭＬメール作成」は、電子メールの本文をＨＴＭＬにて記述するモードを指す。
【０００６】
なお、電子メールメニューに「ＨＴＭＬメール作成」が無くても、「Ｅ電子メール作成」の選択後に、「テキスト電子メール作成」か「ＨＴＭＬメール作成」かの選択画面となる場合も同様である。
【０００７】
そして、「ＨＴＭＬメール作成」を選択すると、ＨＴＭＬメールを作成するための画面Ｍ１−２が表示され、「通信先名（Ｔｏ）」、「通信元名（Ｆｒｏｍ）」、「件名（Ｓｕｂ）」、「添付画像指定（添付）」、「本文入力（本文）」などの入力項目が表示される。各項目の入力が完了した後、続いてＨＴＭＬメールの編集メニュー画面Ｍ１−３が表示される。
【０００８】
編集メニュー画面Ｍ１−３には、「テンプレートの読み込み」、「範囲指定」、「文字色」、「文字サイズ」、「文字点滅」、「画像挿入」、「テロップ」、「スイング」、「文字位置設定」、「背景色変更」、「ライン挿入」、「やり直し」、「全削除」などの編集項目が表示される。
【０００９】
ＨＴＭＬメールを作成する際は、最初に、あらかじめ定型的な文章や画像およびこれらの装飾がなされた各種のテンプレートを使用することが一般的である。テンプレートを使用する場合は、上記「テンプレートの読み込み」を選択すると、テンプレート選択画面が表示される（図示略）。例えば、テンプレートの内容を示す単語の一覧や、テンプレートのサムネイルを並べたものなどが表示される。
【００１０】
このテンプレート選択画面において、ユーザが使用したいテンプレートを選択する。そして、選択したテンプレートにユーザが文字を入れたり、さらに装飾を施すなどの編集を行って、送信するＨＴＭＬメール文書を作成する。
【００１１】
なお、電子メールメニュー中の「Ｅ電子メール作成」を選択した場合には、「Ｅ電子メール作成」の画面Ｍ１−１が表示され、「通信先名（Ｔｏ）」、「通信元名（Ｆｒｏｍ）」、「件名（Ｓｕｂ）」、「添付画像指定（添付）」、「本文入力（本文）」などの入力項目が表示される。各項目の入力が完了した後、文字のみによるテキスト電子メールの送信が可能になる。
【特許文献１】特開２００５−３１７０３８号公報
【発明の開示】
【発明が解決しようとする課題】
【００１２】
しかしながら、従来のＨＴＭＬメールの作成にあっては、ユーザは、送信する電子メール文書を予めＨＴＭＬ記述とすることに決めてから、「ＨＴＭＬメール作成」を前記電子メールメニュー上で選択し、ＨＴＭＬメールの作成作業に入る必要がある。このため、ユーザがテキスト電子メールの作成の途中で装飾や画像を入れたくなった場合は、作成途中の電子メールを全て破棄して、電子メールメニューの画面Ｍ１に戻り、「ＨＴＭＬメール作成」を選択して、ＨＴＭＬメールの作成を行う必要がある。
【００１３】
あるいは、ＨＴＭＬメール作成（編集）の途中で、文字のみによるテキスト電子メールに変更したい場合には、作成途中のＨＴＭＬメールを全て破棄して、電子メールメニューの画面Ｍ１に戻り、「Ｅ電子メール作成」を選択して、最初から電子メール作成をやり直さなければならない。
【００１４】
また、ＨＴＭＬメールの作成（編集）の途中で、最初に選択したテンプレートを別のテンプレートに変えたい場合、作成途中のＨＴＭＬメールを全て破棄して、テンプレート選択画面に戻り、別の新たなテンプレートを選択してＨＴＭＬメール作成を最初からやり直す必要がある。
【００１５】
特に、携帯端末においては、電子メール作成を気軽に簡単に行いたいとの要求が強く、現状では、作成する電子メールがＨＴＭＬであるかテキストであるかをユーザが意識して作成する必要があるとともに、上記のようなＨＴＭＬメール作成の煩雑さが生じ、結果としてユーザがＨＴＭＬメールを敬遠し、ＨＴＭＬメールの利用頻度を下げるという問題点がある。
【００１６】
本発明は、上記のような問題点に着目してなされたものであり、作成する電子メールがＨＴＭＬ記述のテンプレートや通信規約に基づくメッセージまたは該メッセージの組み合わせにより定義されたテンプレートを用いた電子メールであるか、あるいは、テキストのみで構成された電子メールであるかをユーザが意識せずに簡単に電子メール作成を行うことができる電子機器、電子メール作成時の変換候補の表示方法およびそのプログラムを得ることを目的とする。
【課題を解決するための手段】
【００１７】
前記目的達成のために、本発明に係る電子機器は、電子メールの作成が可能に構成された電子機器であって、電子メール作成における文字又は文字列の入力に対応して、複数の変換候補の文字列を表示する選択画面に、テンプレートを伴う変換候補を表示させる変換候補表示手段と、前記テンプレートを伴う変換候補が選択された場合に、該変換候補の文字列に割り当てられたテンプレートを表示し、該テンプレートを使用して電子メール作成可能に制御する電子メール作成制御手段と、を有することを特徴とする。
上記構成により、文字変換の変換候補として、テンプレートを伴う変換候補を表示させ、これを選択することにより、テンプレートの表示およびテンプレートを使用した電子メール作成を行うことができるので、作成する電子メールがテンプレートを用いた電子メールであるか、あるいは、テキストのみで構成された電子メールであるかをユーザが意識せずに簡単に電子メール作成を行うことができる。
【００１８】
また、本発明に係る電子機器は、前記テンプレートは、ＨＴＭＬを用いて記述されたテンプレートであることを特徴とする。
上記構成により、作成する電子メールがＨＴＭＬを用いて記述されたものであるか、あるいは、テキストのみで構成された電子メールであるかをユーザが意識せずに簡単に電子メール作成を行うことができる。
【００１９】
また、本発明に係る電子機器は、電子機器は更に所定の通信規約に基づき通信を行う通信部を含み、前記テンプレートは、前記通信部が従う通信規約に基づくメッセージまたは該メッセージの組み合わせにより定義されたテンプレートであることを特徴とする。
上記構成により、作成する電子メールが所定の通信規約に基づくメッセージまたは該メッセージの組み合わせにより定義されたテンプレートを用いた電子メールであるか、あるいは、テキストのみで構成された電子メールであるかをユーザが意識せずに簡単に電子メール作成を行うことができる。
【００２０】
また、本発明に係る電子機器は、前記テンプレートを伴う変換候補には、テンプレートを伴うことを示す表示がなされていることを特徴とする。
上記構成により、テンプレートを伴う変換候補には、テンプレートを伴うことを示す表示がなされているので、変換候補に対するテンプレートの有無を確認し易くすることができる。
【００２１】
また、本発明に係る電子機器は、前記テンプレートを伴うことを示す表示は、所定のマークを所定位置に表示することを特徴とする。さらに、前記所定位置は、前記変換候補の文字列に隣接した位置であることを特徴とする。
上記構成により、所定のマークを視認することにより、変換候補に対するテンプレートの有無を確認することができる。
【００２２】
また、本発明に係る電子機器は、前記テンプレートを伴うことを示す表示は、テンプレートのサムネイル画像を前記変換候補の文字列に隣接した位置に表示する、又は、前記変換候補の文字列にカーソルを合わせたときにテンプレートのサムネイル画像をポップアップ表示させることを特徴とする。
上記構成により、変換候補を選択し確定する前に、テンプレートの内容を確認することができる。
【００２３】
また、本発明に係る電子機器は、前記テンプレートを伴う変換候補に対して、テキストを入力するかテンプレートを入力するかを選択するキーを設けたことを特徴とする。
上記構成により、キーの選択により同じ文字列の変換候補に対して、テキストを入力するかテンプレートを入力するかを選択することができる。
【００２４】
また、本発明に係る電子機器は、前記テンプレートを伴う変換候補を選択した場合に、テンプレート使用有無を選択する画面を表示することを特徴とする。
上記構成により、テンプレート使用有無を選択する画面において、選択をすることにより、同じ文字列の変換候補に対して、テキストを入力するかテンプレートを入力するかを選択することができる。
【００２５】
また、本発明に係る電子機器は、前記テンプレートを伴う変換候補の文字列に対応するテンプレートを登録したテンプレート保存テーブルを有し、変換候補文字列およびテンプレートの新規登録または編集が可能に構成されていることを特徴とする。
上記構成により、新たなテンプレートを追加・登録して、この新たなテンプレートを伴う変換候補として表示し、テンプレートを呼び出して使用することができる。
【００２６】
また、本発明に係る電子機器は、前記変換候補表示手段は、入力した文字又は文字列に続くと思われる単語や文字列を変換候補として示す予測変換候補の文字列を表示する。
上記構成により、予測変換候補文字列の選択によって、文字列の入力効率を高めて電子メールを作成することができる。
【００２７】
また、本発明に係る電子メール作成時の変換候補表示方法は、電子機器における電子メール作成時の文字又は文字列の入力に対応して、複数の変換候補の文字列を表示する選択画面に、テンプレートを伴う変換候補を表示することを特徴とする。
上記方法により、文字変換の変換候補として、テンプレートを伴う変換候補を表示させ、これを選択することにより、テンプレートの表示およびテンプレートを使用した電子メール作成を行うことができるので、作成する電子メールがテンプレートを用いた電子メールであるか、あるいは、テキストのみで構成された電子メールであるかをユーザが意識せずに簡単に電子メール作成を行うことができる。
【００２８】
また、本発明に係る電子メール作成時の変換候補表示プログラムは、電子メール作成が可能に構成された電子機器に対して、電子メール作成における文字又は文字列の入力に対応して、複数の変換候補の文字列を表示する選択画面に、テンプレートを伴う変換候補を表示する機能を実現させることを特徴とする。
上記プログラムを使用することにより、文字変換の変換候補として、テンプレートを伴う変換候補を表示させ、これを選択することにより、テンプレートの表示およびテンプレートを使用した電子メール作成を行うことができるので、作成する電子メールがテンプレートを用いた電子メールであるか、あるいは、テキストのみで構成された電子メールであるかをユーザが意識せずに簡単に電子メール作成を行うことができる。
【発明の効果】
【００２９】
本発明によれば、電子メールの作成途中で、文字変換の変換候補としてＨＴＭＬ記述のテンプレートや通信規約に基づくメッセージまたは該メッセージの組み合わせにより定義されたテンプレートを伴う変換候補を表示させ、これを選択することで、テンプレートを用いた電子メールの作成をユーザに意識させずに行うことができるものである。
また、電子メールの作成中に、一旦入力したテンプレートを削除すれば、テキスト電子メールとして電子メール作成を続けることができ、あるいは、新たなテンプレートを伴う変換候補を選択すれば、作成中の電子メール本文のテンプレートが新たなテンプレートに自動的に置き換わり、電子メール作成を続けることができる。
すなわち、作成する電子メールがテンプレートを用いた電子メールであるか、あるいは、テキストのみで構成された電子メールであるかをユーザが意識せずに簡単に電子メール作成を行うことができる。
【発明を実施するための最良の形態】
【００３０】
以下、本発明の実施の形態を、図面を参照しながら説明する。
図１は、本実施の形態による電子機器を示すブロック図、図２は、本実施の形態によるＨＴＭＬメールの作成手順の概略を示す説明図、図３は、ＨＴＭＬメールの作成手順を示すフローチャート、図４は、入力文字対応のテンプレートを示すテーブル図である。
【００３１】
本実施の形態による電子機器が携帯端末（携帯電話機やＰＨＳ端末等）である場合を例にして、図１について説明する。
図１において、この携帯端末１は、通信や文字の入出力などを制御する制御部１１を備えている。この制御部１１には、操作部１２、表示部１３、メモリ部１４および通信部１５がそれぞれ接続されている。
【００３２】
これらのうち、制御部１１は、携帯端末１の各種機能に対する制御や演算を実行する。本実施形態では、制御部１１は電子メール作成制御手段１１−１と、文字列の入力に対して複数の変換候補文字を表示する選択画面に、テンプレート付きの変換候補を表示させる変換候補表示手段１１−２とを備える。
【００３３】
操作部１２は、ダイヤルキー（数字キー）、電源キー、通話キー、保留キー、方向指示キーなどの各種キーを含む。本実施の形態では、電子メールモードに入るための選択キーとして、例えばこの方向指示キーが用いられる。携帯端末１では、配置できるキー数が限られているので、英字（アルファベット）、仮名文字、記号等を入力するためのキー（文字入力手段）は電話番号等の数字を入力するダイヤルキー（数字キー）と共通になっている。なお、入力文字の確定はいずれかの前記キーを用いて実施される。
【００３４】
表示部１３は、電子メール文のほか、電話番号、通信履歴、画像などを表示する液晶や有機ＥＬ等のディスプレイであり、使用者が文字入力を行う際には、入力した文字列の変換候補や予測変換候補の単語、あるいはこの単語の先頭文字等が表示される。
【００３５】
メモリ部１４は、変換候補テーブル１４−１と、テンプレート保存テーブル１４−２、プログラム格納部１４−３とを有する。
【００３６】
変換候補テーブル１４−１は、入力文字列を他の文字列に変換するのに使用される。なお、この変換候補テーブル１４−１は、電子機器に予め備わった辞書変換ソフトウエア（単語・文節の検索や変換のアルゴリズム等を含むシステム）の一部の機能として存在する。
【００３７】
図２は、テンプレート保存テーブル１４−２の一例を示す図である。このテンプレート保存テーブル１４−２は、特定の、例えば挨拶などで使用される頻度が高い入力文字列ごとに、この入力文字列を含む電子メール文を装飾するテンプレート（ｔｅｍｐ１、ｔｅｍｐ２、・・・）が用意されている。例えば、「ありがとう」という文字列に対してはテンプレートｔｅｍｐ１が対応し、「アリガト」という文字列に対してはテンプレートｔｅｍｐ２が対応する。このテンプレートは電子メールフォーマットとして広く流通しているＨＴＭＬ構造化言語を用いて作られている。
【００３８】
次に動作について、図３および図４を参照して説明する。図３は、本実施の形態による電子メールの作成手順の概略を示す説明図である。図４は、本実施の形態による電子メールの作成手順を示すフローチャートである。
【００３９】
まず、携帯端末１における操作部１２のＥ電子メールキーを操作する。このキー操作により、電子メールメニューの表示がなされる（ステップＳ１）。例えば、図３に示す電子メールメニューＭ２が表示される。
電子メールメニューＭ２には、「１．受信電子メール一覧」、「２．Ｅ電子メール作成」、「３．送信電子メール一覧」、「４．Ｅ電子メール受信」、「５．Ｅ電子メール送受信」、「６．Ｅ電子メール送信」、「７．設定」、などの機能選択の表示がなされ、ユーザによる番号入力又はカーソルを合わせて選択した番号の機能を実行する。
上記電子メールメニューＭ２には、従来例のような「ＨＴＭＬメール作成」の表示はなく、本実施の形態の携帯端末では、ユーザは、電子メールの属性がテキスト電子メールであるかＨＴＭＬメールかの区別を意識することなく作成することができる。
【００４０】
そして、電子メール作成制御手段１１−１は、電子メールメニューＭ２に示されたいずれかの機能が選択されたことを検知し、Ｅ電子メール作成か否かを判定する（ステップＳ２）。
「２．Ｅ電子メール作成」以外の他の機能が選択される（ステップＳ２：Ｎｏ）と、選択された機能の処理が行われる（ステップＳ３）。
一方、「２．Ｅ電子メール作成」の選択が検知される（ステップＳ２：Ｙｅｓ）と、Ｅ電子メール作成のための各項目の入力選択画面Ｍ３が表示される（ステップＳ４）。入力選択画面Ｍ３には、「通信元名（Ｆｒｏｍ）」、「通信先名（Ｔｏ）」、「件名（Ｓｕｂ）」、「添付画像指定（添付）」、「本文入力（本文）」などの入力項目が表示される。
【００４１】
ユーザは、上記入力項目をそれぞれ選択して、各入力項目の内容をそれぞれの入力画面（図示せず）において、操作部１２に設置された各種のキーを操作して入力を行いＥ電子メールを作成する。
【００４２】
電子メール作成制御手段１１−１は、ステップＳ４で表示された入力選択画面Ｍ３の入力項目の選択を検知し、本文入力か否かを判定する（ステップＳ５）。
「本文入力（本文）」以外の他の入力項目が選択される（ステップＳ５：Ｎｏ）と、選択された入力項目の入力画面が表示される（ステップＳ６）。
一方、「本文入力（本文）」が選択される（ステップＳ５：Ｙｅｓ）と、本文入力画面Ｍ４が表示される。そして、この本文入力画面Ｍ４に対して、文字又は文字列が入力される（ステップＳ７）と、入力された文字又は文字列に対応する変換候補（または予測変換候補）が本文入力画面Ｍ４の下側に表示される（ステップＳ８）。
【００４３】
なお、前記予測変換候補とは、ユーザが入力した文字又は文字列に続くと思われる単語や文字列を変換候補として示すものである。
【００４４】
そして、変換候補（または予測変換候補）には、電子メール文を装飾するためのテンプレートを伴う変換候補が含まれるものがある。テンプレートを伴う変換候補にはテンプレート有りを示すマークＫがこの変換候補に隣接した位置（変換候補の文字列の直前など）に表示される。例えば、本文入力画面Ｍ４では、「アリガト」と「ありがとう」はテンプレートを伴う変換候補であるので、その変換候補の文字列の直前にマークＫが付けられている。あるいは、このマークＫに代えて、テンプレートのサムネイル画像を表示させるなどでもよい。
【００４５】
また、上記マークＫなどを付けずに、テンプレートを伴う変換候補であることを他の変換候補と区別し明示するために、変換候補の文字列にカーソルを合わせたときに、テンプレートのサムネイル画像や「テンプレート付き」などの文字をポップアップ表示させるようにしてもよい。あるいは、テンプレートを伴う変換候補を強調表示したり、色を変えたり、文字を囲む枠を点灯または点滅させるなどしてもよい。
【００４６】
次に、例えば「アリガト」が選択された場合、電子メール作成制御手段１１−１が図２に示すテンプレート保存テーブル１４−２を参照して、「アリガト」に対応するテンプレートｔｅｍｐ２が読み込まれ、表示部１３に表示される。
【００４７】
なお、テンプレートを伴う変換候補と同じ文字列をテキストで入力したい場合などは、ＨＴＭＬ記述のテンプレートを伴う変換候補に対して、テキストを入力するかテンプレートを入力するかを選択するキーを設けるようにしてもよい。
例えば、画面Ｍ９に示すように、変換候補中にテンプレートを伴う変換候補が存在することを所定位置のマークで示されており、「アリガト」を選択し、画面Ｍ９の最下部にある「テンプレート」キーを選択した場合は、「アリガト」のテンプレートｔｅｍｐ２が読み込まれるが、画面Ｍ９の最下部にある「文字」キーを選択した場合は、“アリガト”という文字（テキスト）のみを入力する。
【００４８】
あるいは、画面Ｍ１０に示すように、ＨＴＭＬ記述のテンプレートを伴う変換候補の「アリガト」が選択された後、テンプレート使用有無を選択する画面１１を表示し、“はい”が選択されたら、「アリガト」のテンプレートｔｅｍｐ２を読み込んで表示し、“いいえ”が選択されたら、“アリガト”とうい文字（テキスト）のみを入力するようにしてもよい。
【００４９】
次に、複数表示された各変換候補（または予測変換候補）の単語や文字列の中から、１つの変換候補を選択する（ステップＳ９）ことにより、確定した単語や文字列が本文入力画面Ｍ４に表示される。
【００５０】
そして、電子メール作成制御手段１１−１は、選択された変換候補がテンプレートを伴う変換候補であるか、（通常の）テキストのみの変換候補であるかを検知する（ステップＳ１０）。
選択された変換候補がテンプレートを伴う変換候補である場合（ステップＳ１０：ＹＥＳ）は、表示部１３にテンプレートを表示する（ステップＳ１１）。一方、選択された変換候補がテキストのみの変換候補である場合（ステップＳ１０：ＮＯ）は、表示部１３に変換されたテキストを表示する（ステップＳ１２）。
【００５１】
そして、電子メール作成制御手段１１−１は、決定キーが操作されるなどの本文入力の終了の指示を検知する（ステップＳ１３）。本文入力の終了が検知されると（ステップＳ１３：ＹＥＳ）、表示部１３は、本文が入った状態で、入力選択画面Ｍ３に戻る。このとき、「通信先名（Ｔｏ）」、「通信元名（Ｆｒｏｍ）」、「件名（Ｓｕｂ）」など送信に必要な項目が既に入力されていれば、電子メールメニューＭ２に戻り、「５．Ｅ電子メール送受信」または「６．Ｅ電子メール送信」の機能を選択するなどして、電子メール送信が実行される（ステップＳ１４）。本文入力の終了が検知されない場合（ステップＳ１３：ＮＯ）は、ステップＳ７に戻り、文字入力が続けられる。
【００５２】
例えば、本文入力画面Ｍ４において、テンプレートを伴う変換候補「アリガト」を選択した場合は、画面Ｍ５に示すテンプレートが表示部１３に表示される。このテンプレートは、所定の箇所に文字列の入力が可能となっており、例えば、画面Ｍ６に示すように、「また遊ぼうね」などの文字列を入力することができる。
【００５３】
そしてさらに、テンプレートの画像データ等の装飾を全て削除して、画面Ｍ７に示すようにテキストだけが残り、この本文入力をこの時点で終了すれば、作成された電子メールは自動的にテキスト電子メールとなる。
【００５４】
また、例えば画面Ｍ７の段階から「おやすみなさい」と入力し、テンプレートを伴う変換候補「おやすみなさい」（図３のＴｅｍｐ６）を選択する（選択画面は図示せず）と、先に入力されたテキスト「アリガト  また遊ぼうね」は削除されずに、新たなテンプレートが読み込まれて、画面Ｍ８のように表示される。さらに、このテンプレートを用いて本文入力を続けることもできる。
【００５５】
このように、本実施の形態ではＨＴＭＬメールで使用するテンプレートの任意の意味の部分「ありがとう」、「アリガト」、「Ｈｅｌｌｏ」、「おはよう」、「おめでとう」、「おやすみなさい」、・・・・などを、文字入力の変換候補として表示し、これを選択するだけで、所望のテンプレートを読み込んでＨＴＭＬメールを作成することができる。
【００５６】
なお、上記実施の形態において、テンプレート保存テーブル１４−２に保存されているテンプレートは、予め用意されたもの以外のものでもよい。例えば、ダウンロード等によって取得したテンプレートや、ユーザが作成したＨＴＭＬ文書を任意の文字列に対応させてテンプレートとして登録・保存するなどしてもよい。
例えば、所定の設定メニューから「テンプレート登録」を選択すると、テンプレート名称の入力画面となるので、ここで任意のテンプレート名称を入力して、展開中の電子メールデータをテンプレートとして保存すれなどしてもよい。そして、テンプレート名称をユーザ辞書に登録し、テンプレート（画像等）との関連付けして追加する。
【００５７】
以上のように、本実施の形態では、電子機器１は、電子メールの作成が可能に構成された電子機器であって、電子メール作成における文字又は文字列の入力に対応して、複数の変換候補の文字列を表示する選択画面に、ＨＴＭＬ記述のテンプレートを伴う変換候補を表示させる変換候補表示手段１１−２と、ＨＴＭＬ記述のテンプレートを伴う変換候補が選択された場合に、該変換候補の文字列に割り当てられたＨＴＭＬ記述のテンプレートを表示し、該テンプレートを使用して電子メール作成可能に制御する電子メール作成制御手段１１−１と、を有する。
これにより、電子機器１を用いて電子メールを作成するとき、文字変換の変換候補としてＨＴＭＬ記述のテンプレートを伴う変換候補を表示させ、これを選択することで、ＨＴＭＬメールの作成をユーザに意識させずに行うことができる。
また、電子メールの作成中に、一旦入力したテンプレートを削除すれば、テキスト電子メールとして電子メール作成を続けることができ、あるいは、新たなテンプレートを伴う変換候補を選択すれば、作成中の電子メール本文のテンプレートが新たなテンプレートに自動的に置き換わり、電子メール作成を続けることができる。
すなわち、作成する電子メールがＨＴＭＬであるかテキストであるかをユーザが意識せずに簡単に電子メール作成を行うことができる。
【００５８】
なお、電子機器１の通信部１５は、更に所定の通信規約に基づき通信を行うものであってもよい。上述の実施の形態では、テンプレートがＨＴＭＬを用いて記述されたテンプレートである場合について述べたが、テンプレートは、この通信規約に基づき通信を行う通信部１５が従う通信規約に基づくメッセージまたは該メッセージの組み合わせにより定義されたテンプレートであってもよい。
これにより、作成する電子メールが所定の通信規約に基づくメッセージまたは該メッセージの組み合わせにより定義されたテンプレートを用いた電子メールであるか、あるいは、テキストのみで構成された電子メールであるかをユーザが意識せずに簡単に電子メール作成を行うことができる。
【図面の簡単な説明】
【００５９】
【図１】本発明の実施の形態に係る携帯端末（電子機器）を示すブロック図である。
【図２】本発明の実施の形態に係る携帯端末（電子機器）による入力文字対応のテンプレートを示すテンプレート保存テーブル図である。
【図３】本実施の形態に係る携帯端末（電子機器）による電子メールの作成手順の概略を示す説明図である。
【図４】本実施の形態に係る携帯端末（電子機器）による電子メールの作成手順を示すフローチャートである。
【図５】従来のＨＴＭＬメールの作成手順の概略を示す説明図である。
【符号の説明】
【００６０】
１  携帯端末（電子機器）
１１  制御部
１１−１  電子メール作成制御手段
１１−２  テンプレート利用可能表示手段
１２  操作部
１３  表示部
１４  メモリ部
１４−１  変換候補テーブル
１４−２  テンプレート分類テーブル
１５  通信部
【図１】
0004970164.tif 000002
【図２】
0004970164.tif 000003
【図３】
0004970164.tif 000004
【図４】
0004970164.tif 000005
【図５】
0004970164.tif 000006